(57)【要約】【課題】塵芥による噴射口の閉塞を防止して、当該噴射口を通じて火災の消火を確実に行うことのできる消火装置を備えた塵芥収容箱を提供する。【解決手段】塵芥収容箱１内で火災が発生した場合に、当該火災を消火するための消火装置２を備えた塵芥収容箱において、消火装置２は、塵芥収容箱１の適所に消火液を内部に噴射するための消火液噴射口２３が形成されるとともに、消火液噴射口２３に複数の通孔を有するパンチングメタル２４などからなるフィルタ部材が設けられ、さらに消火液噴射口２３に消火用配管２２の一端部２２ａが連結されるとともに、消火用配管２２の他端部が塵芥収容箱１の外周面適所に配設され、この消火用配管２２の他端が消火液を供給する供給源に連通された供給管と接続可能に構成されている。【選択図】　図４
2004105403.tif 000002
【特許請求の範囲】
【請求項１】
塵芥収容箱内で火災が発生した場合に、当該火災を消火するための消火装置を備えた塵芥収容箱において、
前記消火装置は、塵芥収容箱の適所に消火液を内部に噴射するための消火液噴射口が形成されるとともに、該消火液噴射口に複数の通孔を有するフィルタ部材が設けられ、さらに消火液噴射口に消火用配管の一端部が連結されるとともに、消火用配管の他端部が塵芥収容箱の外周面適所に配設され、この消火用配管の他端が消火液を供給する供給源に連通された供給管と接続可能に構成されたことを特徴とする消火装置を備えた塵芥収容箱。
【請求項２】
前記フィルタ部材は、パンチングメタルであることを特徴とする請求項１記載の消火装置を備えた塵芥収容箱。
【発明の詳細な説明】
【０００１】
【発明の属する技術分野】
本発明は、消火装置を備えた塵芥収容箱に関するものである。
【０００２】
【従来の技術】
従来、車体上に塵芥収容箱が搭載され、塵芥収容箱の後部に連設された塵芥積込装置により塵芥を上記塵芥収容箱内に積み込む塵芥収集車が多数提供されている。
【０００３】
そして、このような塵芥収集車には、塵芥収容箱内で火災が発生した場合に当該火災を消火するための消火装置を設けたものも提供されている（例えば、特許文献１参照。）。この消火装置は、具体的には塵芥収容箱の天井部に複数のノズルを当該塵芥収容箱内に臨んで配設し、火災が発生した場合に、消火剤タンクから消火剤をノズルを通じて塵芥収容箱内に噴射することで、火災を消火するようにしている。また、塵芥収容箱内に積み込んだ塵芥からノズルを保護するように塵芥収容箱内においてカバーによって保護している。
【０００４】
【特許文献１】
実開昭６３−１１４０６号公報
【０００５】
【発明が解決しようとする課題】
しかしながら、上記従来の消火装置においては、塵芥収容箱に積込んだ塵芥が満杯になってくると、この塵芥がノズルの部位にも達してノズルを保護しているカバーの噴射口を閉塞してしまう。このように塵芥でカバーの噴射口を閉塞してしまうと、ノズルから噴射する消火剤が塵芥収容箱内に達せず消火装置としての機能を発揮できないという問題があった。
【０００６】
本発明は、上記問題点に鑑みてなされたもので、その目的とするところは、塵芥による噴射口の閉塞を防止して、当該噴射口を通じて火災の消火を確実に行うことのできる消火装置を備えた塵芥収容箱を提供することにある。
【０００７】
【課題を解決するための手段】
請求項１に係る発明の消火装置を備えた塵芥収容箱は、塵芥収容箱内で火災が発生した場合に、当該火災を消火するための消火装置を備えた塵芥収容箱において、前記消火装置は、塵芥収容箱の適所に消火液を内部に噴射するための消火液噴射口が形成されるとともに、該消火液噴射口に複数の通孔を有するフィルタ部材が設けられ、さらに消火液噴射口に消火用配管の一端部が連結されるとともに、消火用配管の他端部が塵芥収容箱の外周面適所に配設され、この消火用配管の他端が消火液を供給する供給源に連通された供給管と接続可能に構成されたものである。
【０００８】
請求項２に係る発明の消火装置を備えた塵芥収容箱は、前記フィルタ部材が、パンチングメタルである。
【０００９】
【発明の実施の形態】
以下、本発明の実施の形態を図面を参照して説明する。なお、本実施の形態では塵芥収容箱としてコンテナを例に採って説明する。
【００１０】
図１は、コンテナの全体構成を示している。
【００１１】
このコンテナ１は、図示しないコンパクタにより塵芥を詰め込む密閉式の、所謂クローズドタイプのもので、コンテナを運搬するコンテナ運搬車輌の荷役装置により当該車輌と塵芥詰込み施設などの地上との間で積卸し自在になされている。
【００１２】
従って、コンテナ荷役車輌によってコンテナを塵芥詰込み施設に運搬してこの車輌から卸し、コンパクタに連結して該コンパクタにより塵芥をコンテナに圧縮しながら詰め込む。そして、このように塵芥を詰め込んだコンテナを再びコンテナ荷役車輌に積み込んで処理場に運搬し、この処理場において内部の塵芥を排出して処理する。
【００１３】
ところで、上述したコンテナ１には消火装置２が設けられている。消火装置２は、図２及び図３に示すように、コンテナ１の上面適所に当該コンテナ１内に通じる連結部２１が設けられ、この連結部２１にコンテナ１の外周面に配設された消火用配管２２の一端部が連結されている。
【００１４】
具体的には、連結部２１は以下のように構成されている。コンテナ１の上面には図４に示すように消火液噴射口２３が形成されている。消火液噴射口２３には、複数の通孔（図示省略）を有するフィルタ部材としてのパンチングメタル２４が設けられており、このようにパンチングメタル２４が設けられた消火液噴射口２３を覆うようにして上面が閉塞された筒状体２５がコンテナ１の上面に立設されている。
【００１５】
消火用配管２２は、その一端部２２ａが上記筒状体２５に連結されるとともに、途中部２２ｂがコンテナ１に設けられた他の部材の邪魔にならないように上面を沿って一側面側に導かれ、一側面に沿って下方に導かれて他端部２２ｃがこの一側面の途中部に配置されている。
【００１６】
また、消火用配管２２の他端部２２ｃは、図示しない水道水などの消火液を供給する供給源（水道源）に連通された供給管の端部と接続可能に構成されており、通常は栓部材２２ｄ（図２参照）により閉塞されている。つまり、消火用配管２２の他端部２２ｃは、火災時に作業者が供給管と接続し易いコンテナ１の一側面に配置している。
【００１７】
従って、このように消火装置２を設けたことで、コンテナ１内において火災が発生した際には、まず、供給源に接続した供給管の端部を消火用配管２２の他端部２２ｃに接続する。そして、供給源から水道水等の消火液を供給管を通じて供給することで、消火液が消火用配管２２を通じて連結部２１に導かれ、この連通部２１の消火液噴射口２３に設けられたパンチングメタル２４の通孔からコンテナ１内に消火液を噴射することで火災の消火作業を行うことができる。
【００１８】
このように消火液噴射口２３にパンチングメタル２４を設けることで、消火液噴射口２３の開口の大きさを大きくすることができる。これによりコンテナ１内に詰め込まれる塵芥による消火液噴射口２３の閉塞を回避でき、この消火液噴射口２３を通じて消火作業を迅速に且つ確実に行うことができる。
【００１９】
なお、塵芥収容箱は、上述したコンテナ１に限らず塵芥収集車の塵芥収容箱などであってもよく、この塵芥収容箱に前述した構成の消火装置を設ければよい。
【００２０】
また、消火装置２は、塵芥収容箱の規模などに応じて内部での火災の消火に対応できるように所定の位置に適数設ければよい。
【００２１】
【発明の効果】
以上述べたように、本発明の消火装置を備えた塵芥収容箱によれば、消火液噴射口に複数の通孔を有するフィルタ部材を設けることで、消火液噴射口の開口の大きさを大きくすることができ、これにより塵芥収容箱内に詰め込まれる塵芥による消火液噴射口の閉塞を回避でき、この消火液噴射口を通じて消火作業を迅速に且つ確実に行うことができる。
【図面の簡単な説明】
【図１】コンテナの全体構成を示す側面図である。
【図２】消火装置を示す側面図である。
【図３】消火装置を示す正面図である。
【図４】連結部の構成を示す拡大の断面図である。
【符号の説明】
１　コンテナ（塵芥収容箱）
２　消火装置
２２　消火用配管
２２ａ　一端部
２２ｃ　他端部
２３　消火液噴射口
２４　パンチングメタル（フィルタ装置）
【図１】
2004105403.tif 000003
【図２】
2004105403.tif 000004
【図３】
2004105403.tif 000005
【図４】
2004105403.tif 000006